(57)【要約】  本開示は、ページングポリシー決定方法、装置、ＲＡＮエレメント及びコアネットワークエレメントを提供する。ここで、ページングポリシー決定方法において、下りパケットの差分サービスコードポイント値に基づいて決定されるページングポリシーインジケータ値をコアネットワークエレメントから受信することと、無線リソース制御非活性化状態にある端末が下りパケットを受信すると、ページングポリシーインジケータ値に基づいてページングポリシーを決定することとを含む。【選択図】  図１
2021513785.tif 000002
【特許請求の範囲】
【請求項１】
無線アクセスネットワークＲＡＮエレメントに応用されるページングポリシー決定方法であって、
下りパケットの差分サービスコードポイントＤＳＣＰ値に基づいて決定されるページングポリシーインジケータＰＰＩ値をコアネットワークエレメントから受信することと、
無線リソース制御ＲＲＣ非活性化状態にある端末ＵＥが下りパケットを受信すると、前記ＰＰＩ値に基づいてページングポリシーを決定することと、
を含む、ページングポリシー決定方法。
【請求項２】
前記のページングポリシーインジケータＰＰＩ値をコアネットワークエレメントから受信することは、
セッション管理機能ＳＭＦエンティティから送信された前記ＰＰＩ値を受信することを含み、
ここで、前記ＰＰＩ値は、ユーザプレーン機能ＵＰＦエンティティから受信された下りパケットのＤＳＣＰ値に基づいて前記ＳＭＦエンティティによって決定される、請求項１に記載の方法。
【請求項３】
前記ＤＳＣＰ値は、前記ＵＰＦエンティティが、前記ＳＭＦエンティティから送信した要求メッセージを受信した後に前記ＳＭＦエンティティに送信するものである、請求項２に記載の方法。
【請求項４】
前記要求メッセージは、パケットデータ単位ＰＤＵセッション確立完了後の下りパケットを検出した場合、前記下りパケットのＤＳＣＰ値を決定し、前記下りパケットのＤＳＣＰ値を前記ＳＭＦエンティティに送信するように前記ＵＰＦエンティティに要求するために用いられる、請求項３に記載の方法。
【請求項５】
前記のページングポリシーインジケータＰＰＩ値をコアネットワークエレメントから受信することは、
ＳＭＦエンティティから送信された前記ＰＰＩ値を受信することを含み、
ここで、前記ＰＰＩ値は、ＵＰＦエンティティによって下りパケットのＤＳＣＰ値に基づいて決定された後に前記ＳＭＦエンティティに送信される、請求項１に記載の方法。
【請求項６】
前記のＳＭＦエンティティから送信された前記ＰＰＩ値を受信することは、
前記ＳＭＦエンティティからアクセス及びモビリティ管理機能ＡＭＦエンティティによって送信された前記ＰＰＩ値を受信することを含む、請求項２又は５に記載の方法。
【請求項７】
前記の前記ＳＭＦエンティティからアクセス及びモビリティ管理機能ＡＭＦエンティティによって送信された前記ＰＰＩ値を受信することは、
前記ＡＭＦエンティティから送信されたＮ２  ＳＭ情報を受信することを含み、
ここで、前記ＳＭＦエンティティから前記ＡＭＦエンティティに送信する前記Ｎ２  ＳＭ情報は、前記ＰＰＩ値を含む、請求項６に記載の方法。
【請求項８】
前記の前記ＳＭＦエンティティからアクセス及びモビリティ管理機能ＡＭＦエンティティによって送信された前記ＰＰＩ値を受信することは、
前記ＡＭＦエンティティから送信されたＮ２メッセージを受信することを含み、
ここで、前記Ｎ２メッセージは、前記ＳＭＦエンティティからＮ１１メッセージを介して前記ＡＭＦエンティティに送信する前記ＰＰＩ値を含む、請求項６に記載の方法。
【請求項９】
前記のページングポリシーインジケータＰＰＩ値をコアネットワークエレメントから受信することは、
ＵＰＦエンティティから送信された前記ＰＰＩ値を受信することを含み、
ここで、前記ＰＰＩ値は、前記ＵＰＦエンティティによって下りパケットのＤＳＣＰ値に基づいて決定され、又は、前記ＰＰＩ値は、前記ＵＰＦエンティティから受信された下りパケットのＤＳＣＰ値に基づいてＳＭＦエンティティが決定した後に前記ＵＰＦエンティティに送信する、請求項１に記載の方法。
【請求項１０】
前記のＵＰＦエンティティから送信された前記ＰＰＩ値を受信することは、
前記ＵＰＦエンティティから送信されたＮ３トンネルヘッダを受信することを含み、
ここで、前記Ｎ３トンネルヘッダは、前記ＰＰＩ値を含む、請求項９に記載の方法。
【請求項１１】
前記のページングポリシーインジケータＰＰＩ値をコアネットワークエレメントから受信する前に、
ＡＭＦエンティティから送信された要求メッセージを受信することと、
ここで、前記要求メッセージは、前記ＵＥがＲＲＣ非活性化状態に入るときに、前記ＵＥがＲＲＣ非活性化状態に入ることを前記ＡＭＦエンティティに報告するようにＲＡＮエレメントに要求し、
前記ＵＥがＲＲＣ非活性化状態に入ると、前記ＵＥがＲＲＣ非活性化状態に入ることを前記ＡＭＦエンティティに報告し、それによって前記ＵＥがＲＲＣ非活性化状態に入ることを前記ＡＭＦエンティティからＳＭＦエンティティに報告することとを更に含む、請求項１に記載の方法。
【請求項１２】
コアネットワークエレメントに応用されるページングポリシー決定方法であって、
ＰＰＩ値をＲＡＮエレメントに送信することを含み、
ここで、下りパケットのＤＳＣＰ値に基づいて決定される前記ＰＰＩ値は、前記ＲＡＮエレメントが、ＲＲＣ非活性化状態にあるＵＥが下りパケットを受信した場合に、前記ＰＰＩ値に基づいてページングポリシーを決定するために用いられる、ページングポリシー決定方法。
【請求項１３】
前記コアネットワークエレメントは、ＳＭＦエンティティであり、
前記のＰＰＩ値をＲＡＮエレメントに送信する前に、
ＵＰＦエンティティから送信した下りパケットのＤＳＣＰ値を受信することと、
前記下りパケットのＤＳＣＰ値に基づいて前記ＰＰＩ値を決定することとを更に含む、請求項１２に記載の方法。
【請求項１４】
前記のＵＰＦエンティティから送信した下りパケットのＤＳＣＰ値を受信する前に、
前記ＵＰＦエンティティに要求メッセージを送信することを更に含み、
ここで、前記要求メッセージは、下りパケットのＤＳＣＰ値を前記ＳＭＦエンティティに送信するように前記ＵＰＦエンティティに要求するために用いられる、請求項１３に記載の方法。
【請求項１５】
前記要求メッセージは、ＰＤＵセッション確立完了後の下りパケットを検出した場合、前記下りパケットのＤＳＣＰ値を決定し、前記下りパケットのＤＳＣＰ値を前記ＳＭＦエンティティに送信するように前記ＵＰＦエンティティに要求するために用いられる、請求項１４に記載の方法。
【請求項１６】
前記コアネットワークエレメントは、ＳＭＦエンティティであり、
前記のＰＰＩ値をＲＡＮエレメントに送信する前に、
ＵＰＦエンティティから送信された前記ＰＰＩ値を受信することを更に含み、
ここで、前記ＰＰＩ値は、前記ＵＰＦエンティティによって下りパケットのＤＳＣＰ値に基づいて決定される、請求項１２に記載の方法。
【請求項１７】
前記のＰＰＩ値をＲＡＮエレメントに送信することは、
ＡＭＦエンティティを介して前記ＰＰＩ値を前記ＲＡＮエレメントに送信することを含む、請求項１３又は１６に記載の方法。
【請求項１８】
前記のＡＭＦエンティティを介して前記ＰＰＩ値を前記ＲＡＮエレメントに送信することは、
前記ＰＰＩ値が含まれるＮ２  ＳＭ情報を前記ＡＭＦエンティティに送信し、それによって前記ＡＭＦエンティティが前記Ｎ２  ＳＭ情報を前記ＲＡＮエレメントに転送することを含む、請求項１７に記載の方法。
【請求項１９】
前記のＡＭＦエンティティを介して前記ＰＰＩ値を前記ＲＡＮエレメントに送信することは、
Ｎ１１メッセージを前記ＡＭＦエンティティに送信することを含み、
ここで、前記ＰＰＩ値が含まれる前記Ｎ１１メッセージは、前記ＡＭＦエンティティからＮ２メッセージを介して前記ＲＡＮエレメントに前記ＰＰＩ値を送信するために用いられる、請求項１７に記載の方法。
【請求項２０】
前記コアネットワークエレメントは、ＵＰＦエンティティであり、
前記のＰＰＩ値をＲＡＮエレメントに送信する前に、
ＳＭＦエンティティから送信された前記ＰＰＩ値を受信することを更に含み、
ここで、前記ＰＰＩ値は、前記ＵＰＦエンティティから受信された下りパケットのＤＳＣＰ値に基づいて前記ＳＭＦエンティティによって決定される、請求項１２に記載の方法。
【請求項２１】
前記のＰＰＩ値をＲＡＮエレメントに送信することは、
前記ＰＰＩ値をＮ３トンネルヘッダに追加することと、
前記Ｎ３トンネルヘッダを前記ＲＡＮエレメントに送信することとを含む、請求項２０に記載の方法。
【請求項２２】
送受信インタフェースと、メモリと、プロセッサと、前記メモリに記憶されて前記プロセッサで動作可能なプログラムを含むＲＡＮエレメントであって、
前記送受信インタフェースは、下りパケットのＤＳＣＰ値に基づいて決定されるＰＰＩ値をコアネットワークエレメントから受信するために用いられ、
前記プロセッサは、ＲＲＣ非活性化状態にあるＵＥが下りパケットを受信すると、前記ＰＰＩ値に基づいてページングポリシーを決定するために用いられる、ＲＡＮエレメント。
【請求項２３】
前記送受信インタフェースは、更に、ＳＭＦエンティティから送信された前記ＰＰＩ値を受信するために用いられ、
ここで、前記ＰＰＩ値は、ＵＰＦエンティティから受信された下りパケットのＤＳＣＰ値に基づいて前記ＳＭＦエンティティによって決定される、請求項２２に記載のＲＡＮエレメント。
【請求項２４】
前記ＤＳＣＰ値は、前記ＵＰＦエンティティが、前記ＳＭＦエンティティから送信した要求メッセージを受信した後に前記ＳＭＦエンティティに送信するものである、請求項２３に記載のＲＡＮエレメント。
【請求項２５】
前記要求メッセージは、パケットデータ単位ＰＤＵセッション確立完了後の下りパケットを検出した場合、前記下りパケットのＤＳＣＰ値を決定し、前記下りパケットのＤＳＣＰ値を前記ＳＭＦエンティティに送信するように前記ＵＰＦエンティティに要求するために用いられる、請求項２４に記載のＲＡＮエレメント。
【請求項２６】
前記送受信インタフェースは、更に、ＳＭＦエンティティから送信された前記ＰＰＩ値を受信するために用いられ、
ここで、前記ＰＰＩ値は、ＵＰＦエンティティによって下りパケットのＤＳＣＰ値に基づいて決定された後に前記ＳＭＦエンティティに送信される、請求項２２に記載のＲＡＮエレメント。
【請求項２７】
前記送受信インタフェースは、更に、前記ＳＭＦエンティティからＡＭＦエンティティによって送信された前記ＰＰＩ値を受信するために用いられる、請求項２３又は２６に記載のＲＡＮエレメント。
【請求項２８】
前記送受信インタフェースは、更に、前記ＡＭＦエンティティから送信されたＮ２  ＳＭ情報を受信するために用いられ、
ここで、前記ＳＭＦエンティティから前記ＡＭＦエンティティに送信する前記Ｎ２  ＳＭ情報は、前記ＰＰＩ値を含む、請求項２７に記載のＲＡＮエレメント。
【請求項２９】
前記送受信インタフェースは、更に、前記ＡＭＦエンティティから送信されたＮ２メッセージを受信するために用いられ、
ここで、前記Ｎ２メッセージは、前記ＳＭＦエンティティからＮ１１メッセージを介して前記ＡＭＦエンティティに送信する前記ＰＰＩ値を含む、請求項２７に記載のＲＡＮエレメント。
【請求項３０】
前記送受信インタフェースは、更に、ＵＰＦエンティティから送信された前記ＰＰＩ値を受信するために用いられ、
ここで、前記ＰＰＩ値は、前記ＵＰＦエンティティによって下りパケットのＤＳＣＰ値に基づいて決定され、又は、前記ＰＰＩ値は、前記ＵＰＦエンティティから受信された下りパケットのＤＳＣＰ値に基づいてＳＭＦエンティティが決定した後に前記ＵＰＦエンティティに送信するものである、請求項２２に記載のＲＡＮエレメント。
【請求項３１】
前記送受信インタフェースは、更に、前記ＵＰＦエンティティから送信されたＮ３トンネルヘッダを受信するために用いられ、
ここで、前記Ｎ３トンネルヘッダは、前記ＰＰＩ値を含む、請求項３０に記載のＲＡＮエレメント。
【請求項３２】
前記送受信インタフェースは、更に、ＡＭＦエンティティから送信された要求メッセージを受信するために用いられ、
ここで、前記要求メッセージは、前記ＵＥがＲＲＣ非活性化状態に入るときに、前記ＵＥがＲＲＣ非活性化状態に入ることを前記ＡＭＦエンティティに報告するようにＲＡＮエレメントに要求し、
前記プロセッサは、前記ＵＥがＲＲＣ非活性化状態に入ると、前記ＵＥがＲＲＣ非活性化状態に入ることを前記ＡＭＦエンティティに報告し、それによって前記ＵＥがＲＲＣ非活性化状態に入ることを前記ＡＭＦエンティティからＳＭＦエンティティに報告するために用いられる、請求項２２に記載のＲＡＮエレメント。
【請求項３３】
送受信インタフェースと、メモリと、プロセッサと、前記メモリに記憶されて前記プロセッサで動作可能なプログラムを含むコアネットワークエレメントであって、
前記送受信インタフェースは、ＰＰＩ値をＲＡＮエレメントに送信するために用いられ、
ここで、下りパケットのＤＳＣＰ値に基づいて決定される前記ＰＰＩ値は、前記ＲＡＮエレメントが、ＲＲＣ非活性化状態にあるＵＥが下りパケットを受信した場合に、前記ＰＰＩ値に基づいてページングポリシーを決定するために用いられる、コアネットワークエレメント。
【請求項３４】
前記コアネットワークエレメントは、ＳＭＦエンティティであり、
前記送受信インタフェースは、更に、ＵＰＦエンティティから送信した下りパケットのＤＳＣＰ値を受信するために用いられ、
前記プロセッサは、更に、前記下りパケットのＤＳＣＰ値に基づいて前記ＰＰＩ値を決定するために用いられる、請求項３３に記載のコアネットワークエレメント。
【請求項３５】
前記送受信インタフェースは、更に、前記ＵＰＦエンティティに要求メッセージを送信するために用いられ、
ここで、前記要求メッセージは、下りパケットのＤＳＣＰ値を前記ＳＭＦエンティティに送信するように前記ＵＰＦエンティティに要求するために用いられる、請求項３４に記載のコアネットワークエレメント。
【請求項３６】
前記要求メッセージは、ＰＤＵセッション確立完了後の下りパケットを検出した場合、前記下りパケットのＤＳＣＰ値を決定し、前記下りパケットのＤＳＣＰ値を前記ＳＭＦエンティティに送信するように前記ＵＰＦエンティティに要求するために用いられる、請求項３５に記載のコアネットワークエレメント。
【請求項３７】
前記コアネットワークエレメントは、ＳＭＦエンティティであり、
前記送受信インタフェースは、更に、ＵＰＦエンティティから送信された前記ＰＰＩ値を受信するために用いられ、
ここで、前記ＰＰＩ値は、前記ＵＰＦエンティティによって下りパケットのＤＳＣＰ値に基づいて決定される、請求項３３に記載のコアネットワークエレメント。
【請求項３８】
前記送受信インタフェースは、更に、ＡＭＦエンティティを介して前記ＰＰＩ値を前記ＲＡＮエレメントに送信するために用いられる、請求項３４又は３７に記載のコアネットワークエレメント。
【請求項３９】
前記送受信インタフェースは、更に、前記ＰＰＩ値が含まれるＮ２  ＳＭ情報を前記ＡＭＦエンティティに送信し、それによって前記ＡＭＦエンティティが前記Ｎ２  ＳＭ情報を前記ＲＡＮエレメントに転送するために用いられる、請求項３８に記載のコアネットワークエレメント。
【請求項４０】
前記送受信インタフェースは、更に、Ｎ１１メッセージを前記ＡＭＦエンティティに送信するために用いられ、
ここで、前記ＰＰＩ値が含まれる前記Ｎ１１メッセージは、前記ＡＭＦエンティティからＮ２メッセージを介して前記ＲＡＮエレメントに前記ＰＰＩ値を送信するために用いられる、請求項３８に記載のコアネットワークエレメント。
【請求項４１】
前記コアネットワークエレメントは、ＵＰＦエンティティであり、
前記送受信インタフェースは、更に、ＳＭＦエンティティから送信された前記ＰＰＩ値を受信するために用いられ、
ここで、前記ＰＰＩ値は、前記ＵＰＦエンティティから受信された下りパケットのＤＳＣＰ値に基づいて前記ＳＭＦエンティティによって決定される、請求項３３に記載のコアネットワークエレメント。
【請求項４２】
前記プロセッサは、更に、前記ＰＰＩ値をＮ３トンネルヘッダに追加するために用いられ、
前記送受信インタフェースは、更に、前記Ｎ３トンネルヘッダを前記ＲＡＮエレメントに送信するために用いられる、請求項４１に記載のコアネットワークエレメント。
【請求項４３】
ＲＡＮエレメントに応用されるページングポリシー決定装置において、
下りパケットのＤＳＣＰ値に基づいて決定されるＰＰＩ値をコアネットワークエレメントから受信するために用いられる第１受信モジュールと、
ＲＲＣ非活性化状態にある端末ＵＥが下りパケットを受信すると、前記ＰＰＩ値に基づいてページングポリシーを決定するために用いられる第１決定モジュールと、
を含む、ページングポリシー決定装置。
【請求項４４】
前記第１受信モジュールは、具体的には、ＳＭＦエンティティから送信された前記ＰＰＩ値を受信するために用いられ、
ここで、前記ＰＰＩ値は、ユーザプレーン機能ＵＰＦエンティティから受信された下りパケットのＤＳＣＰ値に基づいて前記ＳＭＦエンティティによって決定され、又は、前記ＰＰＩ値は、ＵＰＦエンティティによって下りパケットのＤＳＣＰ値に基づいて決定された後に前記ＳＭＦエンティティに送信される、請求項４３に記載の装置。
【請求項４５】
前記第１受信モジュールは、具体的には、ＵＰＦエンティティから送信された前記ＰＰＩ値を受信するために用いられ、
ここで、前記ＰＰＩ値は、前記ＵＰＦエンティティが下りパケットのＤＳＣＰ値に基づいて決定し、又は、前記ＰＰＩ値は、前記ＵＰＦエンティティから受信された下りパケットのＤＳＣＰ値に基づいてＳＭＦエンティティによって決定された後に前記ＵＰＦエンティティに送信される、請求項４３に記載の装置。
【請求項４６】
コアネットワークエレメントに応用されるページングポリシー決定装置において、
ＰＰＩ値をＲＡＮエレメントに送信するために用いられる第１送信モジュールを含み、
ここで、下りパケットのＤＳＣＰ値に基づいて決定される前記ＰＰＩ値は、前記ＲＡＮエレメントが、ＲＲＣ非活性化状態にあるＵＥが下りパケットを受信した場合に、前記ＰＰＩ値に基づいてページングポリシーを決定するために用いられる、ページングポリシー決定装置。
【請求項４７】
メモリと、プロセッサと、前記メモリに記憶され、前記プロセッサで動作可能なプログラムを含むＲＡＮエレメントであって、
前記プログラムが前記プロセッサによって実行されると、請求項１乃至１１のいずれか１項に記載のページングポリシー決定方法のことが実現される、ＲＡＮエレメント。
【請求項４８】
メモリと、プロセッサと、前記メモリに記憶され、前記プロセッサで動作可能なプログラムを含むコアネットワークエレメントであって、
前記プログラムが前記プロセッサによって実行されると、請求項１２乃至２１のいずれか１項に記載のページングポリシー決定方法のことが実現される、コアネットワークエレメント。
【請求項４９】
プログラムが記憶されているコンピュータ読み取り可能な記憶媒体であって、
前記プログラムがプロセッサによって実行されると、請求項１乃至１１のいずれか１項に記載のページングポリシー決定方法のことが実現される、コンピュータ読み取り可能な記憶媒体。
【請求項５０】
プログラムが記憶されているコンピュータ読み取り可能な記憶媒体であって、
前記プログラムがプロセッサによって実行されると、請求項１２乃至２１のいずれか１項に記載のページングポリシー決定方法のことが実現される、コンピュータ読み取り可能な記憶媒体。
【発明の詳細な説明】
【技術分野】
【０００１】
本願は、２０１８年２月８日に中国特許庁に提出された中国特許出願２０１８１０１２８５１７．７の優先権を主張し、その全ての内容が援用によりここに取り込まれる。
本開示は、通信技術分野に係り、特にページングポリシー決定方法、装置、ＲＡＮエレメント及びコアネットワークエレメントに係る。
【背景技術】
【０００２】
現在、５ＧＳ（５ｔｈ−Ｇｅｎｅｒａｔｉｏｎ  Ｓｙｓｔｅｍ、第５世代移動通信技術システム）アーキテクチャでは、制御プレーンとユーザプレーンとが分離されたアーキテクチャ、及びモビリティ管理とセッション管理とが分離されたアーキテクチャが採用されている。具体的には、モビリティ管理を担うＡＭＦ（Ａｃｃｅｓｓ  ａｎｄ  Ｍｏｂｉｌｉｔｙ  Ｍａｎａｇｅｍｅｎｔ  Ｆｕｎｃｔｉｏｎ、アクセス及びモビリティ管理機能）エンティティ及びセッション管理を担うＳＭＦ（Ｓｅｓｓｉｏｎ  Ｍａｎａｇｅｍｅｎｔ  Ｆｕｎｃｔｉｏｎ、セッション管理機能）エンティティは、制御プレーンエレメントであり、ＵＰＦ（Ｕｓｅｒ  Ｐｌａｎｅ  Ｆｕｎｃｔｉｏｎ、ユーザプレーン機能）エンティティは、ユーザプレーンエレメントである。
【０００３】
異なるトラフィック又はトラフィックタイプに対して異なるページングポリシーを応用するために、ページングポリシー区別特性が５ＧＳにおいて定義されている。この特性は、ＩＰパケットヘッダ内のＤＳＣＰ値に基づいて、例えばページング再送信メカニズム機構などのページングポリシーを決定する。
【０００４】
ＵＥ（Ｕｓｅｒ  Ｅｑｕｉｐｍｅｎｔ、ユーザ機器）がアイドル状態にあるときのページングポリシー区別メカニズムとして、ＵＰＦエンティティが下りパケットを受信すると、下りパケットのＤＳＣＰ（Ｄｉｆｆｅｒｅｎｔｉａｔｅｄ  Ｓｅｒｖｉｃｅｓ  Ｃｏｄｅ  Ｐｏｉｎｔ、差分サービスコードポイント）値と対応するＱｏＳ（Ｑｕａｌｉｔｙ  ｏｆ  Ｓｅｒｖｉｃｅ、サービス品質）フロー識別ＱＦＩとを含む通知メッセージをＵＰＦエンティティからＳＭＦエンティティに送信し、ＳＭＦエンティティが、通知メッセージを受信すると、この下りパケットのＤＳＣＰ値に基づいてＰＰＩ（Ｐａｇｉｎｇ  Ｐｏｌｉｃｙ  Ｉｎｄｉｃａｔｉｏｎ、ページングポリシーインジケータ）値を決定し、このＰＰＩ値、ＡＲＰ（Ａｌｌｏｃａｔｉｏｎ  ａｎｄ  Ｒｅｔｅｎｔｉｏｎ  Ｐｒｉｏｒｉｔｙ、割り当て及び保持優先度）及び５ＱＩ（ＱＦＩに関連する）をＮ１１メッセージによりＡＭＦエンティティに送信し、ＡＭＦエンティティが、受信した情報に基づいてページングポリシーを決定する。
【０００５】
５ＧＳでは、ＵＥのＲＲＣ（Ｒａｄｉｏ  Ｒｅｓｏｕｒｃｅ  Ｃｏｎｔｒｏｌ、無線リソース制御）非活性化状態が定義されている。ＵＥがＲＲＣ非活性化状態にあるとき、ＵＥは、ＲＲＣ接続及びエアインタフェースＤＲＢ（Ｄａｔａ  Ｒａｄｉｏ  Ｂｅａｒｅｒ、データ無線ベアラ）を解放するが、ネットワーク側では、Ｎ２及びＮ３接続を維持する。ＵＰＦエンティティに到着する下りデータがある場合、ＵＰＦエンティティは、この下りデータを直接ＲＡＮ（Ｒａｄｉｏ  Ａｃｃｅｓｓ  Ｎｅｔｗｏｒｋ、無線アクセスネットワーク）に送信し、ＲＡＮによってＲＡＮエリア内でＵＥをページングする。ＵＥは、ページングに応答した後にＲＲＣ接続及びエアインタフェースＤＲＢを確立し、この下りデータは、ＲＡＮによってＵＥに送信される。
【０００６】
ＲＡＮはＩＰパケットを解析しないので、ＲＲＣ非活性化状態にあるＵＥに対して、プロトコルでは、ＱｏＳフロー粒度に基づくページングポリシー区別メカニズムが定義されている。具体的には、ＳＭＦエンティティは、ＵＰＦエンティティを配置することによって、同じＱｏＳを有するが異なるページング要件を有するトラフィックが異なるＱｏＳフローにおいて伝送されるようにし、且つＳＭＦエンティティは、Ｎ２インタフェースを介して、ＱｏＳフローに対応するＰＰＩ値をＲＡＮに指示する。それにより、ＲＡＮは、ＵＥがＲＲＣ非活性化状態にあるとき、ＰＰＩ値、ＡＲＰ、及び５ＱＩに基づいてページングポリシーを決定する。
【０００７】
ＵＥがＲＲＣ非活性化状態にあるとき、ＱｏＳフロー特性に基づいてＰＰＩ値を決定して、対応するページングポリシーを決定することはできるが、下りパケットのＤＳＣＰ値に基づいて異なるページングポリシーを実現することはできない。
【発明の概要】
【発明が解決しようとする課題】
【０００８】
本開示の実施例は、ＵＥがＲＲＣ非活性化状態にあるとき、下りパケットのＤＳＣＰ値に基づいて異なるページングポリシーを実現することができるページングポリシー決定方法、装置、ＲＡＮエレメント及びコアネットワークエレメントを提供する。
【課題を解決するための手段】
【０００９】
第１方面において、本開示の実施例は、ＲＡＮエレメントに応用されるページングポリシー決定方法を提供する。
この方法において、
下りパケットのＤＳＣＰ値に基づいて決定されるＰＰＩ値をコアネットワークエレメントから受信することと、
ＲＲＣ非活性化状態にある端末ＵＥが下りパケットを受信すると、前記ＰＰＩ値に基づいてページングポリシーを決定することと、
を含む。
【００１０】
第２方面において、本開示の実施例は、コアネットワークエレメントに応用されるページングポリシー決定方法を提供する。
この方法において、
ＰＰＩ値をＲＡＮエレメントに送信することを含み、
ここで、下りパケットのＤＳＣＰ値に基づいて決定される前記ＰＰＩ値は、前記ＲＡＮエレメントが、ＲＲＣ非活性化状態にあるＵＥが下りパケットを受信した場合に、前記ＰＰＩ値に基づいてページングポリシーを決定するために用いられる。
【００１１】
第３方面において、本開示の実施例は、送受信インタフェースと、メモリと、プロセッサと、前記メモリに記憶されて前記プロセッサで動作可能なプログラムを含むＲＡＮエレメントを提供する。
このＲＡＮエレメントにおいて、
前記送受信インタフェースは、下りパケットのＤＳＣＰ値に基づいて決定されるＰＰＩ値をコアネットワークエレメントから受信するために用いられ、
前記プロセッサは、ＲＲＣ非活性化状態にあるＵＥが下りパケットを受信すると、前記ＰＰＩ値に基づいてページングポリシーを決定するために用いられる。
【００１２】
第４方面において、本開示の実施例は、送受信インタフェースと、メモリと、プロセッサと、前記メモリに記憶されて前記プロセッサで動作可能なプログラムを含むコアネットワークエレメントを提供する。
このコアネットワークエレメントにおいて、
前記送受信インタフェースは、ＰＰＩ値をＲＡＮエレメントに送信するために用いられ、
ここで、下りパケットのＤＳＣＰ値に基づいて決定される前記ＰＰＩ値は、前記ＲＡＮエレメントが、ＲＲＣ非活性化状態にあるＵＥが下りパケットを受信した場合に、前記ＰＰＩ値に基づいてページングポリシーを決定するために用いられる。
【００１３】
第５方面において、本開示の実施例は、ＲＡＮエレメントに応用されるページングポリシー決定装置を提供する。
このページングポリシー決定装置において、
下りパケットのＤＳＣＰ値に基づいて決定されるＰＰＩ値をコアネットワークエレメントから受信するために用いられる第１受信モジュールと、
ＲＲＣ非活性化状態にある端末ＵＥが下りパケットを受信すると、前記ＰＰＩ値に基づいてページングポリシーを決定するために用いられる第１決定モジュールと、
を含む。
【００１４】
第６方面において、本開示の実施例は、コアネットワークエレメントに応用されるページングポリシー決定装置を提供する。
このページングポリシー決定装置において、
ＰＰＩ値をＲＡＮエレメントに送信するために用いられる第１送信モジュールを含み、
ここで、下りパケットのＤＳＣＰ値に基づいて決定される前記ＰＰＩ値は、前記ＲＡＮエレメントが、ＲＲＣ非活性化状態にあるＵＥが下りパケットを受信した場合に、前記ＰＰＩ値に基づいてページングポリシーを決定するために用いられる。
【００１５】
第７方面において、本開示の実施例は、メモリと、プロセッサと、前記メモリに記憶され、前記プロセッサで動作可能なプログラムを含むＲＡＮエレメントを更に提供する。
このＲＡＮエレメントにおいて、
前記プログラムが前記プロセッサによって実行されると、上記のＲＡＮエレメントに応用されるページングポリシー決定方法のことが実現される。
【００１６】
第８方面において、本開示の実施例は、メモリと、プロセッサと、前記メモリに記憶され、前記プロセッサで動作可能なプログラムを含むコアネットワークエレメントを更に提供する。
このコアネットワークエレメントにおいて、
前記プログラムが前記プロセッサによって実行されると、上記のコアネットワークエレメントに応用されるページングポリシー決定方法のことが実現される。
【００１７】
第９方面において、本開示の実施例は、プログラムが記憶されているコンピュータ読み取り可能な記憶媒体を更に提供する。
このコンピュータ読み取り可能な記憶媒体において、
前記プログラムがプロセッサによって実行されると、上記のＲＡＮエレメントに応用されるページングポリシー決定方法のことが実現される。
【００１８】
第１０方面において、本開示の実施例は、プログラムが記憶されているコンピュータ読み取り可能な記憶媒体を更に提供する。
このコンピュータ読み取り可能な記憶媒体において、
前記プログラムがプロセッサによって実行されると、上記のコアネットワークエレメントに応用されるページングポリシー決定方法のことが実現される。
【発明の効果】
【００１９】
本開示の実施例のページングポリシー決定方法において、下りパケットのＤＳＣＰ値に基づいて決定されるＰＰＩ値をコアネットワークエレメントから受信し、ＲＲＣ非活性化状態にある端末ＵＥが下りパケットを受信すると、このＰＰＩ値に基づいてページングポリシーを決定することによって、下りパケットのＤＳＣＰ値に基づいてＰＰＩ値を決定し、ＵＥがＲＲＣ非活性化状態にあるとき、下りパケットのＤＳＣＰ値に基づいて異なるページングポリシーを実現することができる。
【００２０】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００２１】
【図１】本開示の実施例に係るページングポリシー決定方法のフローチャートである。
【図２】本開示の実例１に係るページングポリシー決定プロセスのフローチャートである。
【図３】本開示の実例２に係るページングポリシー決定プロセスのフローチャートである。
【図４】本開示の実施例に係る別のページングポリシー決定方法のフローチャートである。
【図５】本開示の実施例に係るＲＡＮエレメントの構造図その１である。
【図６】本開示の実施例に係るコアネットワークエレメントの構造図その１である。
【図７】本開示の実施例に係るページングポリシー決定装置の構造図その１である。
【図８】本開示の実施例に係るページングポリシー決定装置の構造図その２である。
【図９】本開示の実施例に係るＲＡＮエレメントの構造図その２である。
【図１０】本開示の実施例に係るコアネットワークエレメントの構造図その２である。
【発明を実施するための形態】
【００２２】
以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をせずに為しえる全ての他の実施例は、いずれも本開示の保護範囲に属するものである。
【００２３】
図１を参照すると、本開示の実施例は、ＲＡＮエレメントに応用されるページングポリシー決定方法を提供し、ステップ１０１〜１０２を含む。
【００２４】
ステップ１０１において、コアネットワークエレメントから送信されたＰＰＩ値を受信する。
【００２５】
ここで、このＰＰＩ値は、下りパケットのＤＳＣＰ値に基づいて決定される。このコアネットワークエレメントは、ＳＭＦエンティティ又はＵＰＦエンティティである。すなわち、ＲＡＮエレメントは、ＳＭＦエンティティから送信されたＰＰＩ値を受信することができ、ＵＰＦエンティティから送信されたＰＰＩ値を受信することもできる。
【００２６】
ステップ１０２において、ＲＲＣ非活性化状態にあるＵＥが下りパケットを受信した場合、ＰＰＩ値に基づいてページングポリシーを決定する。
【００２７】
なお、ＲＡＮエレメントは、ページングポリシーを決定する際に、ＰＰＩ値、及びＱＦＩに関連付けられたＡＲＰ及び５ＱＩ等に基づいてページングポリシーを決定することができる。
【００２８】
本開示の実施例のページングポリシー決定方法において、下りパケットのＤＳＣＰ値に基づいて決定されるＰＰＩ値をコアネットワークエレメントから受信し、ＲＲＣ非活性化状態にある端末ＵＥが下りパケットを受信すると、このＰＰＩ値に基づいてページングポリシーを決定することによって、下りパケットのＤＳＣＰ値に基づいてＰＰＩ値を決定し、ＵＥがＲＲＣ非活性化状態にあるとき、下りパケットのＤＳＣＰ値に基づいて異なるページングポリシーを実現することができる。
【００２９】
本開示の実施例において、ＲＡＮエレメントがＳＭＦエンティティから送信されたＰＰＩ値を受信する場合、このＰＰＩ値は、ＳＭＦエンティティがＵＰＦエンティティから受信された下りパケットのＤＳＣＰ値に基づいて決定するものであってもよく、ＵＰＦエンティティが下りパケットのＤＳＣＰ値に基づいて決定した後にＳＭＦエンティティに送信しするものであってもよい。
【００３０】
更に、ＵＰＦエンティティから受信された下りパケットのＤＳＣＰ値に基づいてＳＭＦエンティティが決定したＰＰＩ値である場合、このＤＳＣＰ値は、ＵＰＦエンティティが、ＳＭＦエンティティから送信した要求メッセージを受信した後にＳＭＦエンティティに送信するものである。この要求メッセージは、ＰＤＵ（Ｐａｃｋｅｔ  Ｄａｔａ  Ｕｎｉｔ、パケットデータ単位）セッション確立完了後の下りパケットを検出すると、下りパケットのＤＳＣＰ値を決定し、下りパケットのＤＳＣＰ値をＳＭＦエンティティに送信するようにＵＰＦエンティティに要求するために用いられる。例えば、この要求メッセージは、イベント報告要求メッセージであり、ここでの下りパケットは、ＵＰＦエンティティが検出した最初の下りパケットである。
【００３１】
更に、ＰＰＩ値を受信する場合、ＲＡＮエレメントは、ＡＭＦエンティティを介してＳＭＦエンティティから送信されたＰＰＩ値を受信する。具体的には、ＲＡＮエレメントは、ＰＰＩ値を受信する場合、ＡＭＦエンティティから送信されたＮ２  ＳＭ情報を受信する。このＮ２  ＳＭ情報には、ＳＭＦエンティティからＡＭＦエンティティに送信されるＰＰＩ値が含まれる。ＡＭＦエンティティは、このＮ２  ＳＭ情報を解析しない。又は、ＲＡＮエレメントは、ＰＰＩ値を受信する場合、Ｎ１１メッセージを介してＳＭＦエンティティからＡＭＦエンティティに送信されるＰＰＩ値を含んだ、ＡＭＦエンティティから送信されたＮ２メッセージを受信する。
【００３２】
本開示の実施例において、ＲＡＮエレメントがＵＰＦエンティティから送信されたＰＰＩ値を受信する場合、このＰＰＩ値は、下りパケットのＤＳＣＰ値に基づいてＵＰＦエンティティによって決定されるものであってもよく、ＵＰＦエンティティから受信された下りパケットのＤＳＣＰ値に基づいてＳＭＦエンティティによって決定された後にＵＰＦエンティティに送信されるものであってもよい。
【００３３】
更に、ＲＡＮエレメントは、ＵＰＦエンティティから送信されたＰＰＩ値を受信する場合、ＰＰＩ値を含むＮ３トンネルヘッダをＵＰＦエンティティから受信する。
【００３４】
コアネットワークエレメントは、ＵＥがＲＲＣ非活性化状態に入るか否かを知らないので、全てのシーンにおいてＲＡＮエレメントにＰＰＩ値を送信すると、シグナリング及びリソースの浪費をもたらす。従って、シグナリング及びリソースの浪費を避けるために、ＵＥがＲＲＣ非活性化状態に入ることをＲＡＮエレメントからコアネットワークエレメントに報告する前提で、ＲＡＮエレメントにＰＰＩ値を送信する。
具体的には、ステップ１０１の前に、この方法は、
ＡＭＦエンティティから送信された要求メッセージ（例えば状態通知要求メッセージ）を、ＲＡＮエレメントが受信することと、
ここで、前記要求メッセージは、ＵＥがＲＲＣ非活性化状態に入るときに、ＵＥがＲＲＣ非活性化状態に入ることをＡＭＦエンティティに報告するようにＲＡＮエレメントに要求し、
ＵＥがＲＲＣ非活性化状態に入ると、ＵＥがＲＲＣ非活性化状態に入ることをＲＡＮエレメントからＡＭＦエンティティに報告し、それによってＵＥがＲＲＣ非活性化状態に入ることをＡＭＦエンティティからＳＭＦエンティティに報告することとを更に含む。
【００３５】
以下、本開示の実例１及び実例２に係るページングポリシー決定プロセスについて、図２及び図３を参照して、ＳＭＦエンティティがＰＰＩ値を送信する角度及びＵＰＦエンティティがＰＰＩ値を送信する角度からそれぞれ説明する。
実例１
【００３６】
実例１において、ＰＰＩ値は、ＳＭＦエンティティからＲＡＮエレメントに送信される。図２を参照すると、対応するページングポリシー決定プロセスは、以下のステップを含む。
【００３７】
ステップ２０１において、ＳＭＦエンティティは、ＰＤＵセッション確立要求メッセージ、又はＵＰＦエンティティ再選択の要求メッセージを受信した後、Ｎ４セッション確立要求メッセージをＵＰＦエンティティに送信する。
【００３８】
ここで、このＮ４セッション確立要求メッセージには、下りパケットのＤＳＣＰ値を報告するようにＵＰＦエンティティに要求するためのイベント報告要求メッセージを含む。具体的には、このイベント報告要求メッセージは、ＰＤＵセッション確立完了後の下りパケットを検出した場合、この下りパケットのＤＳＣＰ値を決定し、この下りパケットのＤＳＣＰ値をＳＭＦエンティティに送信するようにＵＰＦエンティティに要求するために用いられる。
【００３９】
ステップ２０２において、ＵＰＦエンティティは、Ｎ４セッション確立応答メッセージをＳＭＦエンティティに返す。
【００４０】
ステップ２０３において、ＳＭＦエンティティは、ＰＤＵセッション確立プロセスを完了するためにＡＭＦエンティティと相互作用するなど、このプロセスをトリガする他のエレメントと相互作用する。
【００４１】
ステップ２０４において、ＰＤＵセッション確立完了後に受信した下りパケットを検出すると、ＵＰＦエンティティは、この下りパケットのＤＳＣＰ値を決定する。例えば、ＵＰＦエンティティは、ＩＰパケットヘッダのＴＯＳ（ＩＰｖ４）及び／又はＴＣ（ＩＰｖ６）フィールドによりＤＳＣＰ値を決定する。この下りパケットは、ＵＰＦエンティティが検出した最初の下りパケットである。
【００４２】
ステップ２０５において、ＵＰＦエンティティは、下りパケットのＤＳＣＰ値及び対応するＱＦＩ（ＱｏＳフロー識別）を含むＮ４報告メッセージをＳＭＦエンティティに送信する。
【００４３】
ステップ２０６において、ＳＭＦエンティティは、この下りパケットのＤＳＣＰ値に基づいてＰＰＩ値を決定し、ＵＥコンテキストにＰＰＩ値を保存し、Ｎ４報告応答メッセージをＵＰＦエンティティに返す。
【００４４】
ステップ２０７において、ＵＥが接続状態にあるとき、ＡＭＦエンティティは、ＵＥがＲＲＣ非活性化状態に入るときにＡＭＦエンティティに報告するようにＲＡＮエレメントに要求する状態通知要求メッセージをＲＡＮエレメントに送信する。
【００４５】
ステップ２０８において、ＵＥがＲＲＣ非活性化状態に入ると、ＲＡＮエレメントは、ＵＥがＲＲＣ  ｉｎａｃｔｉｖｅ状態に入ることをＡＭＦエンティティに報告する。
【００４６】
ステップ２０９において、ＡＭＦエンティティは、ＵＥがＲＲＣ非活性化状態に入ることをＳＭＦエンティティに報告する。
【００４７】
ステップ２１０において、ＳＭＦエンティティは、ＡＭＦエンティティを介して、ＰＰＩ値及び対応するＱＦＩをＲＡＮエレメントに送信する。ここで、ＳＭＦエンティティは、Ｎ２  ＳＭ情報にＰＰＩ値及びＱＦＩを含めて、ＡＭＦエンティティを介してＲＡＮエレメントに送信する（ＡＭＦは、Ｎ２  ＳＭ情報を解析しない）。又は、ＳＭＦエンティティは、Ｎ１１メッセージを介して、ＰＰＩ値及びＱＦＩをＡＭＦエンティティに送信し、ＡＭＦエンティティは、Ｎ２メッセージを介してＲＡＮエレメントに転送する。
【００４８】
ステップ２１１において、ＲＲＣ非活性化状態にあるＵＥが下りパケットを受信すると、ＲＡＮエレメントは、ＰＰＩ値、ＱＦＩに関連付けられた５ＱＩ及びＡＲＰに基づいて、ページングポリシーを決定する。
実例２
【００４９】
実例２において、ＰＰＩ値は、ＵＰＦエンティティからＲＡＮエレメントに送信される。図３を参照すると、対応するページングポリシー決定プロセスは、以下のステップを含む。
【００５０】
ステップ３０１において、ＳＭＦエンティティは、ＰＤＵセッション確立要求メッセージ、又はＵＰＦエンティティ再選択の要求メッセージを受信した後、Ｎ４セッション確立要求メッセージをＵＰＦエンティティに送信する。
【００５１】
ここで、このＮ４セッション確立要求メッセージには、下りパケットのＤＳＣＰ値を報告するようにＵＰＦエンティティに要求するためのイベント報告要求メッセージが含まれる。具体的には、このイベント報告要求メッセージは、ＰＤＵセッション確立完了後の下りパケットを検出した場合、この下りパケットのＤＳＣＰ値を決定し、この下りパケットのＤＳＣＰ値をＳＭＦエンティティに送信するようにＵＰＦエンティティに要求するために用いられる。
【００５２】
ステップ３０２において、ＵＰＦエンティティは、Ｎ４セッション確立応答メッセージをＳＭＦエンティティに返す。
【００５３】
ステップ３０３において、ＳＭＦエンティティは、ＰＤＵセッション確立プロセスを完了するためにＡＭＦエンティティと相互作用するなど、このプロセスをトリガする他のエレメントと相互作用する。
【００５４】
ステップ３０４において、ＰＤＵセッション確立完了後に受信した下りパケットを検出すると、ＵＰＦエンティティは、この下りパケットのＤＳＣＰ値を決定する。例えば、ＵＰＦエンティティは、ＩＰパケットヘッダのＴＯＳ（ＩＰｖ４）及び／又はＴＣ（ＩＰｖ６）フィールドによりＤＳＣＰ値を決定する。この下りパケットは、ＵＰＦエンティティが検出した最初の下りパケットである。
【００５５】
ステップ３０５において、ＵＰＦエンティティは、下りパケットのＤＳＣＰ値及び対応するＱＦＩを含むＮ４報告メッセージをＳＭＦエンティティに送信する。
【００５６】
ステップ３０６において、ＳＭＦエンティティは、この下りパケットのＤＳＣＰ値に基づいてＰＰＩ値を決定し、ＵＥコンテキストにＰＰＩ値を保存し、Ｎ４報告応答メッセージをＵＰＦエンティティに返す。
【００５７】
ステップ３０７において、ＵＥが接続状態にあるとき、ＡＭＦエンティティは、ＵＥがＲＲＣ非活性化状態に入るときにＡＭＦエンティティに報告するようにＲＡＮエレメントに要求する状態通知要求メッセージをＲＡＮエレメントに送信する。
【００５８】
ステップ３０８において、ＵＥがＲＲＣ非活性化状態に入ると、ＲＡＮエレメントは、ＵＥがＲＲＣ  ｉｎａｃｔｉｖｅ状態に入ることをＡＭＦエンティティに報告する。
【００５９】
ステップ３０９において、ＡＭＦエンティティは、ＵＥがＲＲＣ非活性化状態に入ることをＳＭＦエンティティに報告する。
【００６０】
ステップ３１０において、ＳＭＦエンティティは、ＰＰＩ値及び対応するＱＦＩを含むＮ４メッセージをＵＰＦエンティティに送信する。
【００６１】
ステップ３１１において、ＵＰＦエンティティは、Ｎ４応答メッセージをＳＭＦエンティティに返す。
【００６２】
ステップ３１２において、ＵＰＦエンティティは、ＰＰＩ値をＮ３トンネルヘッダに追加し、このＮ３トンネルヘッダをＲＡＮエレメントに送信する。
【００６３】
ステップ３１３において、ＲＲＣ非活性化状態のＵＥが下りパケットを受信した場合、ＲＡＮエレメントは、Ｎ３トンネルヘッダ内のＰＰＩ値、ＱＦＩに関連付けられた５ＱＩ及びＡＲＰに基づいて、ページングポリシーを決定する。
【００６４】
このように、ページングポリシーを決定するためのＰＰＩ値は、制御プレーン方式及びユーザプレーン方式の２種類の方式を用いてＲＡＮに提供される。
【００６５】
図４を参照し、本開示の実施例は、コアネットワークエレメントに応用されるページングポリシー決定方法を更に提供し、以下のステップを含む。
ステップ４０１において、ＰＰＩ値をＲＡＮエレメントに送信する。
ここで、下りパケットのＤＳＣＰ値に基づいて決定される前記ＰＰＩ値は、前記ＲＡＮエレメントが、ＲＲＣ非活性化状態にあるＵＥが下りパケットを受信した場合に、前記ＰＰＩ値に基づいてページングポリシーを決定するために用いられる。
【００６６】
本開示の実施例のページングポリシー決定方法において、下りパケットのＤＳＣＰ値に基づいて決定され、ＲＲＣ非活性化状態にある端末ＵＥが下りパケットを受信すると、ＲＡＮエレメントがこのＰＰＩ値に基づいてページングポリシーを決定するためのＰＰＩ値をＲＡＮエレメントに送信することによって、下りパケットのＤＳＣＰ値に基づいてＰＰＩ値を決定し、ＵＥがＲＲＣ非活性化状態にあるとき、下りパケットのＤＳＣＰ値に基づいて異なるページングポリシーを実現することができる。
【００６７】
本開示の実施例において、前記コアネットワークエレメントは、ＳＭＦエンティティである。
ステップ４０１の前に、前記方法は、
ＵＰＦエンティティから送信した下りパケットのＤＳＣＰ値を受信することと、
前記下りパケットのＤＳＣＰ値に基づいて前記ＰＰＩ値を決定することとを更に含む。
【００６８】
選択可能に、前記のＵＰＦエンティティから送信した下りパケットのＤＳＣＰ値を受信する前に、前記方法は、
前記ＵＰＦエンティティに要求メッセージを送信することを更に含む。
ここで、前記要求メッセージは、下りパケットのＤＳＣＰ値を前記ＳＭＦエンティティに送信するように前記ＵＰＦエンティティに要求するために用いられる。
【００６９】
選択可能に、前記要求メッセージは、ＰＤＵセッション確立完了後の下りパケットを検出した場合、前記下りパケットのＤＳＣＰ値を決定し、前記下りパケットのＤＳＣＰ値を前記ＳＭＦエンティティに送信するように前記ＵＰＦエンティティに要求するために用いられる。
【００７０】
本開示の実施例において、前記コアネットワークエレメントは、ＳＭＦエンティティである。
ステップ４０１の前に、前記方法は、ＵＰＦエンティティから送信された前記ＰＰＩ値を受信することを更に含む。
ここで、前記ＰＰＩ値は、前記ＵＰＦエンティティによって下りパケットのＤＳＣＰ値に基づいて決定される。
【００７１】
選択可能に、前記のＰＰＩ値をＲＡＮエレメントに送信することは、ＡＭＦエンティティを介して前記ＰＰＩ値を前記ＲＡＮエレメントに送信することを含む。
【００７２】
選択可能に、前記のＡＭＦエンティティを介して前記ＰＰＩ値を前記ＲＡＮエレメントに送信することは、
前記ＰＰＩ値が含まれるＮ２  ＳＭ情報を前記ＡＭＦエンティティに送信し、それによって前記ＡＭＦエンティティが前記Ｎ２  ＳＭ情報を前記ＲＡＮエレメントに転送することを含む。
【００７３】
選択可能に、前記のＡＭＦエンティティを介して前記ＰＰＩ値を前記ＲＡＮエレメントに送信することは、Ｎ１１メッセージを前記ＡＭＦエンティティに送信することを含む。
ここで、前記ＰＰＩ値が含まれる前記Ｎ１１メッセージは、前記ＡＭＦエンティティからＮ２メッセージを介して前記ＲＡＮエレメントに前記ＰＰＩ値を送信するために用いられる。
【００７４】
本開示の実施例において、前記コアネットワークエレメントは、ＵＰＦエンティティである。
ステップ４０１の前に、前記方法は、ＳＭＦエンティティから送信された前記ＰＰＩ値を受信することを更に含む。
ここで、前記ＰＰＩ値は、前記ＵＰＦエンティティから受信された下りパケットのＤＳＣＰ値に基づいて前記ＳＭＦエンティティによって決定される。
【００７５】
選択可能に、前記のＰＰＩ値をＲＡＮエレメントに送信することは、前記ＰＰＩ値をＮ３トンネルヘッダに追加することと、前記Ｎ３トンネルヘッダを前記ＲＡＮエレメントに送信することとを含む。
【００７６】
上記実施例は、本開示のページングポリシー決定方法を説明したが、以下、実施例と図面を参照して本開示のＲＡＮエレメント及びコアネットワークエレメントを説明する。
【００７７】
図５を参照し、本開示の実施例は、送受信インタフェース５１と、メモリ５２と、プロセッサ５３と、前記メモリ５２に記憶されて前記プロセッサ５３で動作可能なコンピュータプログラムを含むＲＡＮエレメントを更に提供する。
ここで、前記送受信インタフェース５１は、下りパケットのＤＳＣＰ値に基づいて決定されるＰＰＩ値をコアネットワークエレメントから受信するために用いられる。
前記プロセッサ５３は、ＲＲＣ非活性化状態にあるＵＥが下りパケットを受信すると、前記ＰＰＩ値に基づいてページングポリシーを決定するために用いられる。
【００７８】
本開示の実施例のＲＡＮエレメントは、下りパケットのＤＳＣＰ値に基づいて決定されるＰＰＩ値をコアネットワークエレメントから受信し、ＲＲＣ非活性化状態にある端末ＵＥが下りパケットを受信すると、このＰＰＩ値に基づいてページングポリシーを決定することによって、ＵＥがＲＲＣ非活性化状態にあるとき、下りパケットのＤＳＣＰ値に基づいて異なるページングポリシーを実現することができる。
【００７９】
選択可能に、前記送受信インタフェース５１は、更に、ＳＭＦエンティティから送信された前記ＰＰＩ値を受信するために用いられる。
ここで、前記ＰＰＩ値は、ＵＰＦエンティティから受信された下りパケットのＤＳＣＰ値に基づいて前記ＳＭＦエンティティによって決定される。
【００８０】
選択可能に、前記ＤＳＣＰ値は、前記ＵＰＦエンティティが、前記ＳＭＦエンティティから送信した要求メッセージを受信した後に前記ＳＭＦエンティティに送信するものである。
【００８１】
選択可能に、前記要求メッセージは、パケットデータ単位ＰＤＵセッション確立完了後の下りパケットを検出した場合、前記下りパケットのＤＳＣＰ値を決定し、前記下りパケットのＤＳＣＰ値を前記ＳＭＦエンティティに送信するように前記ＵＰＦエンティティに要求するために用いられる。
【００８２】
選択可能に、前記送受信インタフェース５１は、更に、ＳＭＦエンティティから送信された前記ＰＰＩ値を受信するために用いられる。
ここで、前記ＰＰＩ値は、ＵＰＦエンティティによって下りパケットのＤＳＣＰ値に基づいて決定された後に前記ＳＭＦエンティティに送信される。
【００８３】
選択可能に、前記送受信インタフェース５１は、更に、前記ＳＭＦエンティティからＡＭＦエンティティによって送信された前記ＰＰＩ値を受信するために用いられる。
【００８４】
選択可能に、前記送受信インタフェース５１は、更に、前記ＡＭＦエンティティから送信されたＮ２  ＳＭ情報を受信するために用いられる。
ここで、前記ＳＭＦエンティティから前記ＡＭＦエンティティに送信する前記Ｎ２  ＳＭ情報は、前記ＰＰＩ値を含む。
【００８５】
選択可能に、前記送受信インタフェース５１は、更に、前記ＡＭＦエンティティから送信されたＮ２メッセージを受信するために用いられる。
ここで、前記Ｎ２メッセージは、前記ＳＭＦエンティティからＮ１１メッセージを介して前記ＡＭＦエンティティに送信する前記ＰＰＩ値を含む。
【００８６】
選択可能に、前記送受信インタフェース５１は、更に、ＵＰＦエンティティから送信された前記ＰＰＩ値を受信するために用いられる。
ここで、前記ＰＰＩ値は、前記ＵＰＦエンティティによって下りパケットのＤＳＣＰ値に基づいて決定され、又は、前記ＰＰＩ値は、前記ＵＰＦエンティティから受信された下りパケットのＤＳＣＰ値に基づいてＳＭＦエンティティが決定した後に前記ＵＰＦエンティティに送信するものである。
【００８７】
選択可能に、前記送受信インタフェース５１は、更に、前記ＵＰＦエンティティから送信されたＮ３トンネルヘッダを受信するために用いられる。
ここで、前記Ｎ３トンネルヘッダは、前記ＰＰＩ値を含む。
【００８８】
選択可能に、前記送受信インタフェース５１は、更に、ＡＭＦエンティティから送信された要求メッセージを受信するために用いられる。
ここで、前記要求メッセージは、前記ＵＥがＲＲＣ非活性化状態に入るときに、前記ＵＥがＲＲＣ非活性化状態に入ることを前記ＡＭＦエンティティに報告するようにＲＡＮエレメントに要求する。
前記プロセッサ５３は、前記ＵＥがＲＲＣ非活性化状態に入ると、前記ＵＥがＲＲＣ非活性化状態に入ることを前記ＡＭＦエンティティに報告し、それによって前記ＵＥがＲＲＣ非活性化状態に入ることを前記ＡＭＦエンティティからＳＭＦエンティティに報告するために用いられる。
【００８９】
図５において、バスアーキテクチャ（バス５０で示す）は、任意数の相互接続するバスとブリッジを含む。バス５０は、プロセッサ５３をはじめとする１つ又は複数のプロセッサとメモリ５２をはじめとするメモリの各種類の回路が接続したものである。送受信インタフェース５１は、送信インタフェースと受信インタフェースの２つのインタフェースであってもよく、１つのインタフェースであってもよい。送受信インタフェース５１は、バス５０を介してプロセッサ５３とメモリ５２に接続される。
【００９０】
プロセッサ５３は、バス５０と通常の処理を担う。メモリ５２は、プロセッサ５３による操作実行に利用されるデータを記憶するために用いられる。
【００９１】
図６を参照し、本開示の実施例は、送受信インタフェース６１と、メモリ６２と、プロセッサ６３と、前記メモリ６２に記憶されて前記プロセッサ６３で動作可能なコンピュータプログラムを含むコアネットワークエレメントを更に提供する。
ここで、前記送受信インタフェース６１は、ＰＰＩ値をＲＡＮエレメントに送信するために用いられる。
ここで、下りパケットのＤＳＣＰ値に基づいて決定される前記ＰＰＩ値は、前記ＲＡＮエレメントが、ＲＲＣ非活性化状態にあるＵＥが下りパケットを受信した場合に、前記ＰＰＩ値に基づいてページングポリシーを決定するために用いられる。
【００９２】
本開示の実施例のコアネットワークエレメントにおいて、下りパケットのＤＳＣＰ値に基づいて決定され、ＲＲＣ非活性化状態にある端末ＵＥが下りパケットを受信すると、ＲＡＮエレメントがこのＰＰＩ値に基づいてページングポリシーを決定するためのＰＰＩ値をＲＡＮエレメントに送信することによって、ＲＡＮエレメントは、ＵＥがＲＲＣ非活性化状態にあるとき、下りパケットのＤＳＣＰ値に基づいて異なるページングポリシーを実現することができる。
【００９３】
選択可能に、前記コアネットワークエレメントは、ＳＭＦエンティティである。
前記送受信インタフェース６１は、更に、ＵＰＦエンティティから送信した下りパケットのＤＳＣＰ値を受信するために用いられる。
前記プロセッサ６３は、更に、前記下りパケットのＤＳＣＰ値に基づいて前記ＰＰＩ値を決定するために用いられる。
【００９４】
選択可能に、前記送受信インタフェース６１は、更に、前記ＵＰＦエンティティに要求メッセージを送信するために用いられる。
ここで、前記要求メッセージは、下りパケットのＤＳＣＰ値を前記ＳＭＦエンティティに送信するように前記ＵＰＦエンティティに要求するために用いられる。
【００９５】
選択可能に、前記要求メッセージは、ＰＤＵセッション確立完了後の下りパケットを検出した場合、前記下りパケットのＤＳＣＰ値を決定し、前記下りパケットのＤＳＣＰ値を前記ＳＭＦエンティティに送信するように前記ＵＰＦエンティティに要求するために用いられる。
【００９６】
選択可能に、前記コアネットワークエレメントは、ＳＭＦエンティティである。
前記送受信インタフェース６１は、更に、ＵＰＦエンティティから送信された前記ＰＰＩ値を受信するために用いられる。
ここで、前記ＰＰＩ値は、前記ＵＰＦエンティティによって下りパケットのＤＳＣＰ値に基づいて決定される。
【００９７】
選択可能に、前記送受信インタフェース６１は、更に、ＡＭＦエンティティを介して前記ＰＰＩ値を前記ＲＡＮエレメントに送信するために用いられる。
【００９８】
選択可能に、前記送受信インタフェース６１は、更に、
前記ＰＰＩ値が含まれるＮ２  ＳＭ情報を前記ＡＭＦエンティティに送信し、それによって前記ＡＭＦエンティティが前記Ｎ２  ＳＭ情報を前記ＲＡＮエレメントに転送するために用いられる。
【００９９】
選択可能に、前記送受信インタフェース６１は、更に、Ｎ１１メッセージを前記ＡＭＦエンティティに送信するために用いられる。
ここで、前記ＰＰＩ値が含まれる前記Ｎ１１メッセージは、前記ＡＭＦエンティティからＮ２メッセージを介して前記ＲＡＮエレメントに前記ＰＰＩ値を送信するために用いられる。
【０１００】
選択可能に、前記コアネットワークエレメントは、ＵＰＦエンティティである。
前記送受信インタフェース６１は、更に、ＳＭＦエンティティから送信された前記ＰＰＩ値を受信するために用いられる。
ここで、前記ＰＰＩ値は、前記ＵＰＦエンティティから受信された下りパケットのＤＳＣＰ値に基づいて前記ＳＭＦエンティティによって決定される。
【０１０１】
選択可能に、前記プロセッサ６３は、更に、前記ＰＰＩ値をＮ３トンネルヘッダに追加するために用いられる。
前記送受信インタフェース６１は、更に、前記Ｎ３トンネルヘッダを前記ＲＡＮエレメントに送信するために用いられる。
【０１０２】
図６において、バスアーキテクチャ（バス６０で示す）は、任意数の相互接続するバスとブリッジを含む。バス６０は、プロセッサ６３をはじめとする１つ又は複数のプロセッサとメモリ６２をはじめとするメモリの各種類の回路が接続したものである。送受信インタフェース６１は、送信インタフェースと受信インタフェースの２つのインタフェースであってもよく、１つのインタフェースであってもよい。送受信インタフェース６１は、バス６０を介してプロセッサ６３とメモリ６２に接続される。
【０１０３】
プロセッサ６３は、バス６０と通常の処理を担う。メモリ６２は、プロセッサ６３による操作実行に利用されるデータを記憶するために用いられる。
【０１０４】
図７を参照し、本開示の実施例は、ＲＡＮエレメントに応用されるページングポリシー決定装置を更に提供する。
この装置は、
下りパケットのＤＳＣＰ値に基づいて決定されるＰＰＩ値をコアネットワークエレメントから受信するための第１受信モジュール７１と、
ＲＲＣ非活性化状態にある端末ＵＥが下りパケットを受信すると、前記ＰＰＩ値に基づいてページングポリシーを決定するための第１決定モジュール７２とを含む。
【０１０５】
本開示の実施例のページングポリシー決定装置は、下りパケットのＤＳＣＰ値に基づいて決定されるＰＰＩ値をコアネットワークエレメントから受信し、ＲＲＣ非活性化状態にある端末ＵＥが下りパケットを受信すると、このＰＰＩ値に基づいてページングポリシーを決定することによって、ＵＥがＲＲＣ非活性化状態にあるとき、下りパケットのＤＳＣＰ値に基づいて異なるページングポリシーを実現することができる。
【０１０６】
選択可能に、前記第１受信モジュール７１は、具体的には、ＳＭＦエンティティから送信された前記ＰＰＩ値を受信するために用いられる。
ここで、前記ＰＰＩ値は、ユーザプレーン機能ＵＰＦエンティティから受信された下りパケットのＤＳＣＰ値に基づいて前記ＳＭＦエンティティによって決定され、又は、ＵＰＦエンティティによって下りパケットのＤＳＣＰ値に基づいて決定された後に前記ＳＭＦエンティティに送信される。
【０１０７】
選択可能に、前記ＤＳＣＰ値は、前記ＵＰＦエンティティが、前記ＳＭＦエンティティから送信した要求メッセージを受信した後に前記ＳＭＦエンティティに送信するものである。
【０１０８】
選択可能に、前記要求メッセージは、パケットデータ単位ＰＤＵセッション確立完了後の下りパケットを検出した場合、前記下りパケットのＤＳＣＰ値を決定し、前記下りパケットのＤＳＣＰ値を前記ＳＭＦエンティティに送信するように前記ＵＰＦエンティティに要求するために用いられる。
【０１０９】
選択可能に、前記第１受信モジュール７１は、具体的には、前記ＳＭＦエンティティからＡＭＦエンティティによって送信された前記ＰＰＩ値を受信するために用いられる。
【０１１０】
選択可能に、前記第１受信モジュール７１は、具体的には、前記ＡＭＦエンティティから送信されたＮ２  ＳＭ情報を受信するために用いられる。
ここで、前記ＳＭＦエンティティから前記ＡＭＦエンティティに送信する前記Ｎ２  ＳＭ情報は、前記ＰＰＩ値を含む。
【０１１１】
選択可能に、前記第１受信モジュール７１は、具体的には、前記ＡＭＦエンティティから送信されたＮ２メッセージを受信するために用いられる。
ここで、前記Ｎ２メッセージは、前記ＳＭＦエンティティからＮ１１メッセージを介して前記ＡＭＦエンティティに送信する前記ＰＰＩ値を含む。
【０１１２】
選択可能に、前記第１受信モジュール７１は、具体的には、ＵＰＦエンティティから送信された前記ＰＰＩ値を受信するために用いられる。
ここで、前記ＰＰＩ値は、前記ＵＰＦエンティティによって下りパケットのＤＳＣＰ値に基づいて決定され、又は、前記ＰＰＩ値は、前記ＵＰＦエンティティから受信された下りパケットのＤＳＣＰ値に基づいてＳＭＦエンティティが決定した後に前記ＵＰＦエンティティに送信するものである。
【０１１３】
選択可能に、前記第１受信モジュール７１は、具体的には、前記ＵＰＦエンティティから送信されたＮ３トンネルヘッダを受信するために用いられる。
ここで、前記Ｎ３トンネルヘッダは、前記ＰＰＩ値を含む。
【０１１４】
選択可能に、前記装置は、
ＡＭＦエンティティから送信された要求メッセージを受信するための第２受信モジュールと、
ここで、前記要求メッセージは、前記ＵＥがＲＲＣ非活性化状態に入るときに、前記ＵＥがＲＲＣ非活性化状態に入ることを前記ＡＭＦエンティティに報告するようにＲＡＮエレメントに要求し、
前記ＵＥがＲＲＣ非活性化状態に入ると、前記ＵＥがＲＲＣ非活性化状態に入ることを前記ＡＭＦエンティティに報告し、それによって前記ＵＥがＲＲＣ非活性化状態に入ることを前記ＡＭＦエンティティからＳＭＦエンティティに報告するための報告モジュールとを更に含む。
【０１１５】
図８に示すように、本開示の実施例は、コアネットワークエレメントに応用されるページングポリシー決定装置を更に提供する。
この装置は、ＰＰＩ値をＲＡＮエレメントに送信するための第１送信モジュール８１を含む。
ここで、下りパケットのＤＳＣＰ値に基づいて決定される前記ＰＰＩ値は、前記ＲＡＮエレメントが、ＲＲＣ非活性化状態にあるＵＥが下りパケットを受信した場合に、前記ＰＰＩ値に基づいてページングポリシーを決定するために用いられる。
【０１１６】
本開示の実施例のページングポリシー決定装置において、下りパケットのＤＳＣＰ値に基づいて決定され、ＲＲＣ非活性化状態にある端末ＵＥが下りパケットを受信すると、ＲＡＮエレメントがこのＰＰＩ値に基づいてページングポリシーを決定するためのＰＰＩ値をＲＡＮエレメントに送信することによって、ＲＡＮエレメントは、ＵＥがＲＲＣ非活性化状態にあるとき、下りパケットのＤＳＣＰ値に基づいて異なるページングポリシーを実現することができる。
【０１１７】
本開示の実施例において、前記コアネットワークエレメントは、ＳＭＦエンティティである。
前記装置は、
ＵＰＦエンティティから送信した下りパケットのＤＳＣＰ値を受信するための第３受信モジュールと、
前記下りパケットのＤＳＣＰ値に基づいて前記ＰＰＩ値を決定するための第２決定モジュールとを更に含む。
【０１１８】
選択可能に、前記装置は、前記ＵＰＦエンティティに要求メッセージを送信するための第２送信モジュールを更に含む。
ここで、前記要求メッセージは、下りパケットのＤＳＣＰ値を前記ＳＭＦエンティティに送信するように前記ＵＰＦエンティティに要求するために用いられる。
【０１１９】
選択可能に、前記要求メッセージは、ＰＤＵセッション確立完了後の下りパケットを検出した場合、前記下りパケットのＤＳＣＰ値を決定し、前記下りパケットのＤＳＣＰ値を前記ＳＭＦエンティティに送信するように前記ＵＰＦエンティティに要求するために用いられる。
【０１２０】
本開示の実施例において、前記コアネットワークエレメントは、ＳＭＦエンティティである。
前記装置は、ＵＰＦエンティティから送信された前記ＰＰＩ値を受信するための第４受信モジュールを更に含む。
ここで、前記ＰＰＩ値は、前記ＵＰＦエンティティによって下りパケットのＤＳＣＰ値に基づいて決定される。
【０１２１】
選択可能に、前記第１送信モジュール８１は、具体的には、
ＡＭＦエンティティを介して前記ＰＰＩ値を前記ＲＡＮエレメントに送信するために用いられる。
【０１２２】
選択可能に、前記第１送信モジュール８１は、具体的には、
前記ＰＰＩ値が含まれるＮ２  ＳＭ情報を前記ＡＭＦエンティティに送信し、それによって前記ＡＭＦエンティティが前記Ｎ２  ＳＭ情報を前記ＲＡＮエレメントに転送するために用いられる。
【０１２３】
選択可能に、前記第１送信モジュール８１は、具体的には、
Ｎ１１メッセージを前記ＡＭＦエンティティに送信するために用いられる。
ここで、前記ＰＰＩ値が含まれる前記Ｎ１１メッセージは、前記ＡＭＦエンティティからＮ２メッセージを介して前記ＲＡＮエレメントに前記ＰＰＩ値を送信するために用いられる。
【０１２４】
本開示の実施例において、前記コアネットワークエレメントは、ＵＰＦエンティティである。
前記装置は、ＳＭＦエンティティから送信された前記ＰＰＩ値を受信するための第５受信モジュールを更に含む。
ここで、前記ＰＰＩ値は、前記ＵＰＦエンティティから受信された下りパケットのＤＳＣＰ値に基づいて前記ＳＭＦエンティティによって決定される。
【０１２５】
選択可能に、前記第１送信モジュール８１は、具体的には、
前記ＰＰＩ値をＮ３トンネルヘッダに追加し、前記Ｎ３トンネルヘッダを前記ＲＡＮエレメントに送信することに用いられる。
【０１２６】
また、本開示の実施例は、プロセッサと、メモリと、前記メモリに記憶され、前記プロセッサで動作可能なコンピュータプログラムを含むＲＡＮエレメントを更に提供する。ここで、前記コンピュータプログラムが前記プロセッサによって実行されると、上記のＲＡＮエレメントに応用されるページングポリシー決定方法の実施例の各プロセスが実現され、且つ同じ技術効果を達成することができるので、重複を避けるためにここでは繰り返して記載しない。
【０１２７】
具体的に、図９を参照し、本開示の実施例は、バス９１と、送受信インタフェース９２と、アンテナ９３と、バスインタフェース９４と、プロセッサ９５と、メモリ９６とを含むＲＡＮエレメントを更に提供する。
【０１２８】
本開示の実施例において、前記ＲＡＮエレメントは、メモリ９６に記憶され、プロセッサ９５で動作可能なコンピュータプログラムを更に含む。
コンピュータプログラムがプロセッサ９５によって実行されると、下りパケットのＤＳＣＰ値に基づいて決定されるＰＰＩ値をコアネットワークエレメントから受信するように送受信インタフェース９２を制御し、ＲＲＣ非活性化状態にある端末ＵＥが下りパケットを受信すると、前記ＰＰＩ値に基づいてページングポリシーを決定するステップが実現される。
【０１２９】
送受信インタフェース９２は、プロセッサ９５による制御でデータを送受信するために用いられる。
【０１３０】
図９において、バスアーキテクチャ（バス９１で示す）は、任意数の相互接続するバスとブリッジを含む。バス９１は、プロセッサ９５をはじめとする１つ又は複数のプロセッサとメモリ９６をはじめとするメモリの各種類の回路が接続したものである。バス９１は、周辺イクイップメント、レギュレーター、電力管理回路などの各種類のほかの回路を接続したものであってもよい。これらは、いずれも本分野の公知事項であり、本文においてさらなる記載をしない。バスインタフェース９４により、バス９１と送受信インタフェース９２との間でインタフェースが提供される。送受信インタフェース９２は、１つの部品であってもよく、複数の受信機及び送信機など、複数の部品であってもよく、伝送媒体でほかの各種類の装置と通信するユニットとして提供される。プロセッサ９５に処理されたデータは、アンテナ９３を介して無線媒体で伝送される。更に、アンテナ９３は、データを受信し、データをプロセッサ９５に伝送する。
【０１３１】
プロセッサ９５は、バス９１と通常の処理を担い、更に計時、周囲インタフェース、電圧調節、電源管理及びほかの制御機能など、様々な機能も提供する。メモリ９６は、プロセッサ９５による操作実行に用いられるデータを記憶ことに用いられる。
【０１３２】
選択可能に、プロセッサ９５は、ＣＰＵ、ＡＳＩＣ、ＦＰＧＡ又はＣＰＬＤである。
【０１３３】
本開示の実施例は、プロセッサと、メモリと、前記メモリに記憶され、前記プロセッサで動作可能なコンピュータプログラムを含むコアネットワークエレメントを更に提供する。ここで、前記コンピュータプログラムが前記プロセッサによって実行されると、上記のコアネットワークエレメントに応用されるページングポリシー決定方法の実施例の各プロセスが実現され、且つ同じ技術効果を達成することができるので、重複を避けるためにここでは繰り返して記載しない。
【０１３４】
具体的に、図１０を参照し、本開示の実施例は、バス１１１と、送受信インタフェース１１２と、アンテナ１１３と、バスインタフェース１１４と、プロセッサ１１５と、メモリ１１６とを含むコアネットワークエレメントを更に提供する。
【０１３５】
本開示の実施例において、前記コアネットワークエレメントは、メモリ１１６に記憶され、プロセッサ１１５で動作可能なコンピュータプログラムを更に含む。
コンピュータプログラムがプロセッサ１１５によって実行されると、ＰＰＩ値をＲＡＮエレメントに送信するように送受信インタフェース１１２を制御するステップが実現される。下りパケットのＤＳＣＰ値に基づいて決定される前記ＰＰＩ値は、前記ＲＡＮエレメントが、ＲＲＣ非活性化状態にあるＵＥが下りパケットを受信した場合に、前記ＰＰＩ値に基づいてページングポリシーを決定するために用いられる。
【０１３６】
送受信インタフェース１１２は、プロセッサ１１５による制御でデータを送受信するために用いられる。
【０１３７】
図１０において、バスアーキテクチャ（バス１１１で示す）は、任意数の相互接続するバスとブリッジを含む。バス１１１は、プロセッサ１１５をはじめとする１つ又は複数のプロセッサとメモリ１１６をはじめとするメモリの各種類の回路が接続したものである。バス１１１は、周辺イクイップメント、レギュレーター、電力管理回路などの各種類のほかの回路を接続したものであってもよい。これらは、いずれも本分野の公知事項であり、本文においてさらなる記載をしない。バスインタフェース１１４により、バス１１１と送受信インタフェース１１２との間でインタフェースが提供される。送受信インタフェース１１２は、１つの部品であってもよく、複数の受信機及び送信機など、複数の部品であってもよく、伝送媒体でほかの各種類の装置と通信するユニットとして提供される。プロセッサ１１５に処理されたデータは、アンテナ１１３を介して無線媒体で伝送される。更に、アンテナ１１３は、データを受信し、データをプロセッサ１１５に伝送する。
【０１３８】
プロセッサ１１５は、バス１１１と通常の処理を担い、更に計時、周囲インタフェース、電圧調節、電源管理及びほかの制御機能など、様々な機能も提供する。メモリ１１６は、プロセッサ１１５による操作実行に用いられるデータを記憶ことに用いられる。
【０１３９】
選択可能に、プロセッサ１１５は、ＣＰＵ、ＡＳＩＣ、ＦＰＧＡ又はＣＰＬＤである。
【０１４０】
また、本開示の実施例において、コンピュータプログラムが記憶されているコンピュータ読み取り可能な記憶媒体を更に提供する。ここで、前記コンピュータプログラムがプロセッサによって実行されると、上記のＲＡＮエレメントに応用されるページングポリシー決定方法の実施例の各プロセスが実現され、かつ同じ技術効果を達成することができるので、重複を避けるためにここでは繰り返して記載しない。
【０１４１】
本開示の実施例において、コンピュータプログラムが記憶されているコンピュータ読み取り可能な記憶媒体を更に提供する。ここで、前記コンピュータプログラムがプロセッサによって実行されると、上記のコアネットワークエレメントに応用されるページングポリシー決定方法の実施例の各プロセスが実現され、かつ同じ技術効果を達成することができるので、重複を避けるためにここでは繰り返して記載しない。
【０１４２】
コンピュータ読み取り可能な媒体は、永久的媒体や非永久的媒体、リムーバブル媒体やナンリムーバブル媒体を含み、あらゆる方法や技術によって情報の記憶が実現される。情報は、コンピュータ読み取り可能な指令、データ構造、プログラムのモジュール又はほかのデータである。コンピュータデバイスからアクセス可能な情報を記憶可能なコンピュータ読み取り可能な記憶媒体の例は、ＰＲＡＭ、ＳＲＡＭ、ＤＲＡＭ、ほかのタイプのＲＡＭ、ＲＯＭ、ＥＥＰＲＯＭ、フラッシュメモリ記憶媒体又はほかの内部記憶技術、ＣＤ−ＲＯＭ、ＤＶＤ又はほかの光学的記憶媒体、磁気カセット式磁気テープ、磁気ディスク又はほかの磁気記憶デバイス又はほかの非伝送媒体を含むが、それらに限られない。本明細書での規定に基づき、コンピュータ読み取り可能な媒体は、変調されたデータ信号や搬送波など、一時的なコンピュータ読み取り可能な媒体（ｔｒａｎｓｉｔｏｒｙ  ｍｅｄｉａ）を含まない。
【０１４３】
なお、本明細書において、「含む」や「含有する」又はそれ以外のあらゆる変形用語は、非排他的に含むことを意味する。よって、一連の要素を含むプロセス、方法、モノ又は装置は、それらの要素を含むだけではなく、明確に列挙されていない他の要素を更に含み、又はこのようなプロセス、方法、モノ又は装置に固有の要素を更に含む。特に限定されない限り、「…を１つ含む」の表現によって限定される要素について、当該要素を含むプロセス、方法、モノ又は装置に他の同一要素の存在を除外しない。
【０１４４】
上述した本開示の実施例の番号は、単に記載用のものであり、実施例の優劣を代表しない。
【０１４５】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機又はネットワークデバイスなど）に実行させるいくつかの指令を含む。
【０１４６】
以上の記載は、本開示の具体的な実施形態であるが、本開示の保護範囲は、これらに限定されない。当業者が本開示によって開示されている技術範囲内で容易に想到できる変化や置換は、すべて本開示の保護範囲内に含まれる。よって、本開示の保護範囲は、特許請求の範囲の保護範囲を基準とするべきである。
【図１】
2021513785.tif 000003
【図２】
2021513785.tif 000004
【図３】
2021513785.tif 000005
【図４】
2021513785.tif 000006
【図５】
2021513785.tif 000007
【図６】
2021513785.tif 000008
【図７】
2021513785.tif 000009
【図８】
2021513785.tif 000010
【図９】
2021513785.tif 000011
【図１０】
2021513785.tif 000012
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
無線アクセスネットワークＲＡＮエレメントに応用されるページングポリシー決定方法であって、
下りパケットの差分サービスコードポイントＤＳＣＰ値に基づいて決定されるページングポリシーインジケータＰＰＩ値をコアネットワークエレメントから受信することと、
無線リソース制御ＲＲＣ非活性化状態にある端末ＵＥが下りパケットを受信すると、前記ＰＰＩ値に基づいてページングポリシーを決定することと、
を含む、ページングポリシー決定方法。
【請求項２】
前記のページングポリシーインジケータＰＰＩ値をコアネットワークエレメントから受信することは、
セッション管理機能ＳＭＦエンティティから送信された前記ＰＰＩ値を受信することを含み、
ここで、前記ＰＰＩ値は、ユーザプレーン機能ＵＰＦエンティティから受信された下りパケットのＤＳＣＰ値に基づいて前記ＳＭＦエンティティによって決定される、請求項１に記載の方法。
【請求項３】
前記ＤＳＣＰ値は、前記ＵＰＦエンティティが、前記ＳＭＦエンティティから送信した要求メッセージを受信した後に前記ＳＭＦエンティティに送信するものである、請求項２に記載の方法。
【請求項４】
前記要求メッセージは、パケットデータ単位ＰＤＵセッション確立完了後の下りパケットを検出した場合、前記下りパケットのＤＳＣＰ値を決定し、前記下りパケットのＤＳＣＰ値を前記ＳＭＦエンティティに送信するように前記ＵＰＦエンティティに要求するために用いられる、請求項３に記載の方法。
【請求項５】
前記のページングポリシーインジケータＰＰＩ値をコアネットワークエレメントから受信することは、
ＳＭＦエンティティから送信された前記ＰＰＩ値を受信することを含み、
ここで、前記ＰＰＩ値は、ＵＰＦエンティティによって下りパケットのＤＳＣＰ値に基づいて決定された後に前記ＳＭＦエンティティに送信される、請求項１に記載の方法。
【請求項６】
前記のＳＭＦエンティティから送信された前記ＰＰＩ値を受信することは、
前記ＳＭＦエンティティからアクセス及びモビリティ管理機能ＡＭＦエンティティによって送信された前記ＰＰＩ値を受信することを含む、請求項２又は５に記載の方法。
【請求項７】
前記のページングポリシーインジケータＰＰＩ値をコアネットワークエレメントから受信することは、
ＵＰＦエンティティから送信された前記ＰＰＩ値を受信することを含み、
ここで、前記ＰＰＩ値は、前記ＵＰＦエンティティによって下りパケットのＤＳＣＰ値に基づいて決定され、又は、前記ＰＰＩ値は、前記ＵＰＦエンティティから受信された下りパケットのＤＳＣＰ値に基づいてＳＭＦエンティティが決定した後に前記ＵＰＦエンティティに送信する、請求項１に記載の方法。
【請求項８】
前記のＵＰＦエンティティから送信された前記ＰＰＩ値を受信することは、
前記ＵＰＦエンティティから送信されたＮ３トンネルヘッダを受信することを含み、
ここで、前記Ｎ３トンネルヘッダは、前記ＰＰＩ値を含む、請求項７に記載の方法。
【請求項９】
前記のページングポリシーインジケータＰＰＩ値をコアネットワークエレメントから受信する前に、
ＡＭＦエンティティから送信された要求メッセージを受信することと、
ここで、前記要求メッセージは、前記ＵＥがＲＲＣ非活性化状態に入るときに、前記ＵＥがＲＲＣ非活性化状態に入ることを前記ＡＭＦエンティティに報告するようにＲＡＮエレメントに要求し、
前記ＵＥがＲＲＣ非活性化状態に入ると、前記ＵＥがＲＲＣ非活性化状態に入ることを前記ＡＭＦエンティティに報告し、それによって前記ＵＥがＲＲＣ非活性化状態に入ることを前記ＡＭＦエンティティからＳＭＦエンティティに報告することとを更に含む、請求項１に記載の方法。
【請求項１０】
コアネットワークエレメントに応用されるページングポリシー決定方法であって、
ＰＰＩ値をＲＡＮエレメントに送信することを含み、
ここで、下りパケットのＤＳＣＰ値に基づいて決定される前記ＰＰＩ値は、前記ＲＡＮエレメントが、ＲＲＣ非活性化状態にあるＵＥが下りパケットを受信した場合に、前記ＰＰＩ値に基づいてページングポリシーを決定するために用いられる、ページングポリシー決定方法。
【請求項１１】
前記コアネットワークエレメントは、ＳＭＦエンティティであり、
前記のＰＰＩ値をＲＡＮエレメントに送信する前に、
ＵＰＦエンティティから送信した下りパケットのＤＳＣＰ値を受信することと、
前記下りパケットのＤＳＣＰ値に基づいて前記ＰＰＩ値を決定することとを更に含む、請求項１０に記載の方法。
【請求項１２】
前記のＵＰＦエンティティから送信した下りパケットのＤＳＣＰ値を受信する前に、
前記ＵＰＦエンティティに要求メッセージを送信することを更に含み、
ここで、前記要求メッセージは、下りパケットのＤＳＣＰ値を前記ＳＭＦエンティティに送信するように前記ＵＰＦエンティティに要求するために用いられる、請求項１１に記載の方法。
【請求項１３】
前記コアネットワークエレメントは、ＵＰＦエンティティであり、
前記のＰＰＩ値をＲＡＮエレメントに送信する前に、
ＳＭＦエンティティから送信された前記ＰＰＩ値を受信することを更に含み、
ここで、前記ＰＰＩ値は、前記ＵＰＦエンティティから受信された下りパケットのＤＳＣＰ値に基づいて前記ＳＭＦエンティティによって決定され、
前記のＰＰＩ値をＲＡＮエレメントに送信することは、
前記ＰＰＩ値をＮ３トンネルヘッダに追加することと、
前記Ｎ３トンネルヘッダを前記ＲＡＮエレメントに送信することとを含む、請求項１０に記載の方法。
【請求項１４】
ＲＡＮエレメントに応用されるページングポリシー決定装置において、
下りパケットのＤＳＣＰ値に基づいて決定されるＰＰＩ値をコアネットワークエレメントから受信するために用いられる第１受信モジュールと、
ＲＲＣ非活性化状態にある端末ＵＥが下りパケットを受信すると、前記ＰＰＩ値に基づいてページングポリシーを決定するために用いられる第１決定モジュールと、
を含む、ページングポリシー決定装置。
【請求項１５】
コアネットワークエレメントに応用されるページングポリシー決定装置において、
ＰＰＩ値をＲＡＮエレメントに送信するために用いられる第１送信モジュールを含み、
ここで、下りパケットのＤＳＣＰ値に基づいて決定される前記ＰＰＩ値は、前記ＲＡＮエレメントが、ＲＲＣ非活性化状態にあるＵＥが下りパケットを受信した場合に、前記ＰＰＩ値に基づいてページングポリシーを決定するために用いられる、ページングポリシー決定装置。
【国際調査報告】
2021513785.tif 000013
2021513785.tif 000014
2021513785.tif 000015
2021513785.tif 000016